(57)【要約】      （修正有）【課題】素早く装着可能なクリーニングタッグを提供する。【解決手段】一対の切り込みは、帯部１０の長手方向の一端部１０ａの近傍の両側部１０ｂ、１０ｃのそれぞれから、帯部１０の短手方向に沿って、帯部１０の短手方向の中央線１０ｄに向かって直線状に切り込み、それぞれの切り込み１１ａ、１１ｂの先端１１ａ１、１１ｂ１に第一の間隔ｔ１を設け、一端部１０ａの近傍に一対の引っ掛け部１１ｃ、１１ｄを形成する。折り目１２は、第一の位置１０ｅから第二の位置１０ｆまで二つ折り可能に設けられる。Ｔ字状スリットは、帯部１０の長手方向の一端部１０ａに対向し、帯部１０の短手方向の中央部１０ｄに、帯部１０の短手方向に沿って、第一の間隔ｔ１に対応する長さで切り込むとともに、第一のスリット用切り込み１３ａの中央部の位置１０ｇから、帯部１０の長手方向の他端部１０ｈに向かって、第二の間隔ｔ２よりも長い長さｔ３で切り込む。【選択図】図２
0003216855.tif 000002
【実用新案登録請求の範囲】
【請求項１】
長方形状の帯部と、
前記帯部の長手方向の一端部の近傍の両側部のそれぞれから、前記帯部の短手方向に沿って、前記帯部の短手方向の中央線に向かって直線状に切り込み、それぞれの切り込みの先端に第一の間隔を設けることで、前記一端部の近傍に一対の引っ掛け部を形成する一対の切り込みと、
前記帯部の長手方向の一端部で、且つ、前記帯部の短手方向の中央部の位置を第一の位置とし、前記一対の切り込みの先端から、前記帯部の長手方向の一端部に向かって、第二の間隔を設けた位置を第二の位置とし、前記第一の位置から前記第二の位置まで二つ折り可能に設けられた折り目と、
前記帯部の長手方向の一端部に対向し、前記帯部の短手方向の中央部に、前記帯部の短手方向に沿って、前記第一の間隔に対応する長さで第一のスリット用切り込みとして切り込むとともに、前記第一のスリット用切り込みの中央部の位置から、前記帯部の長手方向の他端部に向かって、前記第二の間隔よりも長い長さで第二のスリット用切り込みとして切り込むことで構成されるＴ字状スリットと、
を備え、
前記帯部の短手方向の一端部を前記折り目に沿って二つ折りにすることで、前記一対の切り込みにより、前記二つ折りの一端部に三角形状の部分を形成させ、前記二つ折りの一端部を前記Ｔ字状スリットに差し込むことで、前記Ｔ字状スリットに、前記二つ折りの一端部の三角形状の部分よりも大きな三角形状の穴を形成させて、前記二つ折りの一端部を前記Ｔ字状スリットに挿通させ、前記挿通させた一端部における一対の引っ掛け部を前記Ｔ字状スリットの第一のスリット用切り込みから出した後、前記二つ折りの一端部を平面状に戻すことで、前記一対の引っ掛け部を前記Ｔ字状スリットの第一のスリット用切り込みに引っ掛けるクリーニングタッグ。
【考案の詳細な説明】
【技術分野】
【０００１】
本考案は、クリーニングタッグに関する。
【背景技術】
【０００２】
一般に、クリーニング業界では、顧客から預かった衣類を識別するために、番号や氏名、クリーニング店の独自の情報等の識別情報が記載されたクリーニングタッグを衣類に取り付けている。クリーニングタッグは、通常、耐洗紙で製造され、クリーニングタッグの一端部を衣類のボタン孔等に通して、クリーニングタッグの他端部に合わせてホッチキス針で止着することで、クリーニングタッグを衣類のボタン孔等に確実に止着している。
【０００３】
しかしながら、ホッチキス針でクリーニングタッグを衣類に止着させると、クリーニング中にホッチキス針が他の衣類（他の洗濯物）を傷ける可能性があるという課題がある。又、顧客がクリーニング後の衣類を受け取った後に、衣類に取り付けられたクリーニングタッグのホッチキス針を取り外す必要があるが、顧客が金属アレルギーを有する場合、ホッチキス針を安全に取り外すことが出来ないという課題がある。
【０００４】
そこで、例えば、特開２００１−２９６９９号公報（特許文献１）には、クリーニングタッグのほぼ中央部の両側に、それぞれ凹みが形成され、クリーニングタッグの一端に先細りの山形の係止部が形成されたクリーニングタッグが開示されている。当該クリーニングタッグは、係止部とタッグシート本体との間に切欠が形成され、クリーニングタッグの他端近くに、係止部を挿通するスリットがクリーニングタッグの幅方向に形成され、前記切欠の間隔がスリットの長さとほぼ同じ寸法である。これにより、従来のようにホチキス針を使用する必要が無いため、洗濯物を傷つけることがなく、又、洗濯物への取り付けが容易にでき、クリーニング中に外れることはなく、取り外しも容易であるとしている。
【０００５】
特開平７−２０７８６号公報（特許文献２）には、ノッチ部のない係合穴を有するシート状雌部材と、該係合穴に挿通して係合される係合部を有するシート状雄部材とからなるシート状係合部材が開示されている。雄部材の係合部は、係合穴より大きい頭部と、該頭部に続いて形成される狭幅の首部と、該首部に続いて形成される本体部とからなる。そして、頭部と首部の連結縁および該首部と前記本体部の連結縁は弧状に形成されている。これにより、シート状物の弾性回復力をうまく利用し、極めて簡単な構成および操作で係合することが出来るとしている。
【０００６】
実用新案登録第３００５１１２号公報（特許文献３）には、衣類のボタン孔、襟吊り、ベルト通し等に挿入する取付部と、顧客の識別番号または氏名等を記入する表示部とから構成され、取付部に表示部を挿入する切線を設け、当該表示部に、切線に係止する切込舌片を設けたクリーニングタッグが開示されている。これにより、衣類えの取り付けを容易且つ確実に行うことができるとともに、クリーニング中に他の衣類を傷けることがなく、クリーニング中に衣類から離脱することがないとしている。
【０００７】
実開平６−２３８０号公報（特許文献４）には、情報表示用の表示部を備えた取付け帯を取付け部に挿通したのち一方を折返し、折曲部を挟んだ両片同士を連結して、取付け品に対して固定するタグの固定構造が開示されている。当該タグの固定構造は、取付け帯の一端部に幅狭の首部を形成して差込み片を設け、該差込み片から折返しを行なう所定間隔を隔てた位置に、差込み片の挿通可能な差込み用切目を形成するとともに、該差込み用切目とは切込み方向を異にして連続し、差込み片の首部を係止する係止部を形成している。これにより、タグの取付が迅速かつ非常に簡単に行えるとしている。
【０００８】
一方、本出願人は、下記の特許出願を行い、権利化を果たしている。特開２０１４−２１５５６６号公報（特許文献５）には、一対の切り込みと、スリットとを備えたクリーニングタッグが開示されている。特開２０１６−００４０８９号公報（特許文献６）には、帯部の長手方向の一端部に接続される留め部と、帯部の長手方向の他端部に接続され、所定のキャラクターの形状に切り取られた装飾部と、帯部の長手方向の一端部の近傍の両側部に切り込まれた一対の切り込みと、帯部の長手方向の他端部の近傍に切り込まれた略三角形状スリットとを備えるタッグが開示されている。これらの構成により、簡単な装着と強固な外れ難さを有する。
【先行技術文献】
【特許文献】
【０００９】
【特許文献１】特開２００１−２９６９９号公報
【特許文献２】特開平７−２０７８６号公報
【特許文献３】実用新案登録第３００５１１２号公報
【特許文献４】実開平６−２３８０号公報
【特許文献５】特開２０１４−２１５５６６号公報
【特許文献６】特開２０１６−００４０８９号公報
【考案の概要】
【考案が解決しようとする課題】
【００１０】
しかしながら、上述した特許文献１に記載のタッグでは、係止部をスリットに軽く通すだけであるため、係止部がスリットから外れる可能性が高いという課題がある。上述した特許文献２に記載のタッグでは、装着に手間が掛かるとともに、頭部と首部の形成加工が量産化に向かないという課題がある。上述した特許文献３に記載のタッグでは、切線と切込舌片の形成加工は容易であるものの、装着後に外れ易いという課題がある。上述した特許文献４に記載のタッグでは、差込み片を差込み用切目に入れ易い一方、装着後に外れ易いという課題がある。
【００１１】
又、上述した特許文献５、６に記載のタッグでは、一対の切り込みが略Ｌ字状に設けられているため、留め部の短手方向の両端部を留め部の長手方向に沿って二つ折りにすると、二つ折りの留め部の長手方向から見た形状が略三角形状になり難く、手慣れたユーザで無ければ、装着し難いという課題がある。
【００１２】
又、上述した特許文献５に記載のタッグでは、一対の切り込みが斜め直線状に設けられているものの、その斜め角度は広がり気味であるため、二つ折りの止め部がスリットに挿通し難く、且つ、挿通後のスリットから外れ易いという課題がある。
【００１３】
そこで、本考案は、前記課題を解決するためになされたものであり、素早く装着可能で、且つ、洗濯中の脱落を確実に防止することが可能なクリーニングタッグを提供することを目的とする。
【課題を解決するための手段】
【００１４】
本考案者は、鋭意研究を重ねた結果、本考案に係る新規なタッグを完成させた。即ち、本考案に係るクリーニングタッグは、帯部と、一対の切り込みと、折り目と、Ｔ字状スリットと、を備える。帯部は、長方形状である。一対の切り込みは、前記帯部の長手方向の一端部の近傍の両側部のそれぞれから、前記帯部の短手方向に沿って、前記帯部の短手方向の中央線に向かって直線状に切り込み、それぞれの切り込みの先端に第一の間隔を設けることで、前記一端部の近傍に一対の引っ掛け部を形成する。
【００１５】
折り目は、前記帯部の長手方向の一端部で、且つ、前記帯部の短手方向の中央部の位置を第一の位置とし、前記一対の切り込みの先端から、前記帯部の長手方向の一端部に向かって、第二の間隔を設けた位置を第二の位置とし、前記第一の位置から前記第二の位置まで二つ折り可能に設けられる。
【００１６】
Ｔ字状スリットは、前記帯部の長手方向の一端部に対向し、前記帯部の短手方向の中央部に、前記帯部の短手方向に沿って、前記第一の間隔に対応する長さで第一のスリット用切り込みとして切り込むとともに、前記第一のスリット用切り込みの中央部の位置から、前記帯部の長手方向の他端部に向かって、前記第二の間隔よりも長い長さで第二のスリット用切り込みとして切り込むことで構成される。
【００１７】
そして、本考案に係るクリーニングタッグは、前記帯部の短手方向の一端部を前記折り目に沿って二つ折りにすることで、前記一対の切り込みにより、前記二つ折りの一端部に三角形状の部分を形成させ、前記二つ折りの一端部を前記Ｔ字状スリットに差し込むことで、前記Ｔ字状スリットに、前記二つ折りの一端部の三角形状の部分よりも大きな三角形状の穴を形成させて、前記二つ折りの一端部を前記Ｔ字状スリットに挿通させ、前記挿通させた一端部における一対の引っ掛け部を前記Ｔ字状スリットの第一のスリット用切り込みから出した後、前記二つ折りの一端部を平面状に戻すことで、前記一対の引っ掛け部を前記Ｔ字状スリットの第一のスリット用切り込みに引っ掛ける。
【考案の効果】
【００１８】
本考案によれば、素早く装着可能で、且つ、洗濯中の脱落を確実に防止することが可能となる。
【図面の簡単な説明】
【００１９】
【図１】本考案に係るクリーニングタッグの平面図、底面図、正面図、背面図、右側面図、左側面図である。
【図２】本考案に係るクリーニングタッグの平面拡大図である。
【図３】本考案に係るクリーニングタッグの装着方法を示す斜視図である。
【図４】本考案に係るクリーニングタッグの装着方法を示す斜視図である。
【図５】本考案に係るクリーニングタッグの装着方法を示す斜視図である。
【図６】本考案に係るクリーニングタッグの装着方法を示す斜視図である。
【図７】本考案に係るクリーニングタッグに第一のマークと第二のマークを設けた場合の平面図、底面図と、斜視図である。
【図８】本考案に係るクリーニングタッグに第一のマークと第二のマークを設けた場合の帯部の裏面の装着適切と装着不適切とを示す底面図と、帯部の表面の装着適切と装着不適切とを示す平面図である。
【図９】本考案に係るクリーニングタッグの折り目の第一の位置が切断されていない場合の平面図と、第一の位置が切断されていない（接続している）折り目で帯部の一端部を二つ折りにした場合の斜視図と、第一の位置が切断されている折り目で帯部の一端部を二つ折りにした場合の斜視図である。
【図１０】本考案に係るクリーニングタッグの一方の角部が切断された場合の平面図と、他方の角部からボタン孔に挿通する場合の取付方法を示す斜視図である。
【図１１】一方の角部が切断された一端部を山折りにした場合の取付方法を示す斜視図と、谷折りにした場合の取付方法を示す斜視図である。
【図１２】実施例と比較例の平面図と評価風景の写真を示す図である。
【図１３】実施例と比較例の評価結果を示す図である。
【考案を実施するための形態】
【００２０】
以下に、添付図面を参照して、本考案の実施形態について説明し、本考案の理解に供する。尚、以下の実施形態は、本考案を具体化した一例であって、本考案の技術的範囲を限定する性格のものではない。
【００２１】
本考案に係るクリーニングタッグ１は、図１に示すように、帯部１０と、一対の切り込み１１と、折り目１２と、Ｔ字状スリット１３と、を備える。
【００２２】
帯部１０は、長方形状である。一対の切り込み１１は、図２に示すように、前記帯部１０の長手方向の一端部１０ａの近傍の両側部１０ｂ、１０ｃ（上方側部１０ｂ、下方側部１０ｃ）のそれぞれから、前記帯部１０の短手方向に沿って、前記帯部１０の短手方向の中央線１０ｄに向かって直線状に切り込み、それぞれの切り込み１１ａ、１１ｂ（上方切り込み１１ａ、下方切り込み１１ｂ）の先端１１ａ１、１１ｂ１（上方切り込み１１ａの先端１１ａ１、下方切り込み１１ｂの先端１１ｂ１）に第一の間隔ｔ１を設けることで、前記一端部１０ａの近傍に一対の引っ掛け部１１ｃ、１１ｄ（上方引っ掛け部１１ｃ、下方引っ掛け部１１ｄ）を形成する。
【００２３】
折り目１２は、前記帯部１０の長手方向の一端部１０ａで、且つ、前記帯部１０の短手方向の中央部１０ｄの位置を第一の位置１０ｅとし、前記一対の切り込み１１ａ、１１ｂの先端１１ａ１、１１ｂ１から、前記帯部１０の長手方向の一端部１０ａに向かって、第二の間隔ｔ２を設けた位置を第二の位置１０ｆとし、前記第一の位置１０ｅから前記第二の位置１０ｆまで二つ折り可能に設けられる。折り目１２の構成に特に限定は無いが、例えば、ミシン目や折り線等を挙げることが出来る。ミシン目は、ミシン目状に切り込みを入れることで形成される。折り線は、片刃で半押しにすることで形成される。
【００２４】
Ｔ字状スリット１３は、前記帯部１０の長手方向の一端部１０ａに対向し、前記帯部１０の短手方向の中央部１０に、前記帯部１０の短手方向に沿って、前記第一の間隔ｔ１に対応する長さで第一のスリット用切り込み１３ａとして切り込むとともに、前記第一のスリット用切り込み１３ａの中央部の位置１０ｇから、前記帯部１０の長手方向の他端部１０ｈに向かって、前記第二の間隔ｔ２よりも長い長さｔ３で第二のスリット用切り込み１３ｂとして切り込むことで構成される。
【００２５】
そして、本考案に係るクリーニングタッグ１は、図３に示すように、帯部１０の長手方向の一端部１０ａを対象物Ｔに巻く又は対象物Ｔの穴（ボタン孔等）に挿通し、帯部１０の短手方向の一端部１０ａを前記折り目１２に沿って二つ折りにする（つまむ）ことで、前記一対の切り込み１１ａ、１１ｂにより、前記二つ折りの一端部１０ａに三角形状の部分２を形成させる。
【００２６】
三角形状の部分２は、第一の間隔ｔ１を底辺とし、第二の間隔ｔ２を長辺としている。又、三角形状の部分２は、前記二つ折りの一端部１０ａにおいて一対の引っ掛け部１１ｃ、１１ｄが外部に突出することで形成され、前記二つ折りの一端部１０ａは、直線形状となる。
【００２７】
次に、図３に示すように、二つ折りの一端部１０ａを帯部１０の裏面（底面）で、且つ、帯部１０のＴ字状スリット１３に対向させ、図４に示すように、前記二つ折りの一端部１０ａを前記Ｔ字状スリット１３の第二のスリット用切り込み１３ｂに差し込む。
【００２８】
すると、Ｔ字状スリット１３に、前記二つ折りの一端部１０ａの差し込みにより、平面から見て三角形状の穴３が形成される。三角形状の穴３は、第一のスリット用切り込み１３ａを底辺とし、第二のスリット用切り込み１３ｂを長辺としている。これにより、二つ折りの一端部１０ａの三角形状の部分２をＴ字状スリット１３の三角形状の穴３に突き通すことが出来る。
【００２９】
ここで、二つ折りの一端部１０ａの三角形状の部分２の底辺は第一の間隔ｔ１に対応し、その長辺は第二の間隔ｔ２に対応する。これに対して、Ｔ字状スリット１３の三角形状の穴３の底辺は第一の間隔ｔ１に対応し、長辺は第三の間隔ｔ３に対応する。つまり、図５に示すように、Ｔ字状スリット１３に、前記二つ折りの一端部１０ａの三角形状の部分２よりも大きな三角形状の穴３を形成させる。これにより、二つ折りの一端部１０ａをＴ字状スリット１３に容易に突き通すことが出来る。
【００３０】
そして、図５に示すように、前記二つ折りの一端部１０ａを前記Ｔ字状スリット１３に挿通させ、挿通させた二つ折りの一端部１０ａにおける一対の引っ掛け部１０ｃ、１１ｄを、Ｔ字状スリット１３の第一のスリット用切り込み１３ａから表面（平面）の外部に出した後、前記二つ折りの一端部１０ａを平面状に戻すことで、一対の引っ掛け部１０ｃ、１１ｄを、Ｔ字状スリット１３の第一のスリット用切り込み１３ａに引っ掛ける。
【００３１】
このように、一端部１０ａを二つ折りにしてＴ字状スリット１３に挿通することで、一端部１０ａの一対の引っ掛け部１０ｃ、１１ｄをＴ字状スリット１３の第一のスリット用切り込み１３ａに引っ掛けることが出来るため、クリーニングタッグ１を素早く装着させることが出来る。
【００３２】
ここで、二つ折りの一端部１０ａの三角形状の部分２の底辺は、Ｔ字状スリット１３の第一のスリット用切り込み１３ａと同等の長さであることから、一度、一対の引っ掛け部１０ｃ、１１ｄがＴ字状スリット１３の第一のスリット用切り込み１３ａに引っ掛かると、一対の切り込み１１ａ、１１ｂの先端１１ａ１、１１ｂ１の間の首部ＮがＴ字状スリット１３の第一のスリット用切り込み１３ａに合致し、挿通後の一端部１０ａがＴ字状スリット１３に嵌って殆ど動かなくなる。これにより、クリーニングタッグ１を一度装着すると、強固に装着されることから、千切らない限り、外れなくなる。
【００３３】
又、一対の切り込み１１ａ、１１ｂは、帯部１０の短手方向に沿って直線状であることから、一端部１０ａをＴ字状スリット１３に挿通して外部に出すと、一対の引っ掛け部１０ｃ、１１ｄは、Ｔ字状スリット１３の第一のスリット用切り込み１３ａに直ぐに引っ掛かる。つまり、従来では、一対の切り込みが略Ｌ字状であると、一端部を十分にスリットから引き出さないと、略Ｌ字状の一対の引っ掛け部がスリットに引っ掛からないため、手間や時間が掛かる。本考案では、一対の切り込み１１ａ、１１ｂを直線状にすることで、一端部１０ａをＴ字状スリット１３から出すと、直ぐに一対の引っ掛け部１０ｃ、１１ｄがＴ字状スリット１３の第一のスリット用切り込み１３ａに引っ掛かるので、手間や時間が掛からない。そして、一対の切り込み１１ａ、１１ｂが帯部１０の短手方向に沿って直線状であることから、一対の引っ掛け部１０ｃ、１１ｄは、Ｔ字状スリット１３から一端部１０ａの引き抜き方向に対して直角となり、引き抜き方向に対して強固に装着される。つまり、従来では、一対の切り込みが略Ｌ字状であると、一対の引っ掛け部も略Ｌ字状となり、略Ｌ字状の一対の引っ掛け部が引き抜き方向に対して折り曲がる可能性が高く、引き抜き方向の力が強いと、略Ｌ字状の一対の引っ掛け部が折り曲がり、千切れて、一端部がスリットから外れる。本考案では、一対の引っ掛け部１０ｃ、１１ｄを直線状としているため、直線状の一対の引っ掛け部１０ｃ、１１ｄが引き抜き方向に対して折り曲がる可能性が殆ど無い。そのため、引き抜き方向の力が強くても、直線状の一対の引っ掛け部１０ｃ、１１ｄが殆ど折り曲がらずに引っ掛けを維持するため、装着強度を高めることが出来る。
【００３４】
図６に示すように、前記二つ折りの一端部１０ａを平面状に戻して、当該一端部１０ａを、帯部１０の長手方向の他端部１０ｈに向けて返すことで、クリーニングタッグ１の装着が更に強固なものになり、一対の切り込み１１の先端１１ａ１、１１ｂ１の間の首部Ｎを千切らない限り、クリーニングタッグ１を取り外すことが出来なくなる。これにより、クリーニングタッグ１の装着容易性と脱落防止性を兼ね備える。
【００３５】
尚、本考案に係るクリーニングタッグ１は、一対の切り込み１１と、折り目１２と、Ｔ字状スリット１３と、を備えるが、これらの切り込みは、帯部１０の長手方向に対して平行又は垂直である。片刃の押切で耐洗紙を切断するトムソン加工では、例えば、帯部１０を構成する耐洗紙を帯部１０の長手方向又は短手方向に搬送させるため、耐洗紙の搬送方向に対して平行又は垂直に片刃を入れることが出来る。そのため、本考案の切断線は、トムソン加工に適しており、押切による耐洗紙の切断不良率を低くすることが出来る。従って、本考案に係るクリーニングタッグ１は、トムソン加工の量産化に最適な構成といえる。
【００３６】
さて、ここで、図１に示すように、帯部１０の表面（平面）において、Ｔ字状スリット１３と帯部１０の長手方向の他端部１０ｈとの間に、帯部１０の短手方向に沿った切り取り線１４が設けられ、帯部１０の表面において、切り取り線１４と帯部１０の長手方向の一端部１０ａとの間に、クリーニングタッグ１を示す第一の識別情報１５ａが設けられ、帯部１０の表面において、切り取り線１４と帯部１０の長手方向の他端部１０ｈとの間に、第一の識別情報１５ａと同等の第二の識別情報１５ｂが設けられる。
【００３７】
これにより、クリーニングタッグ１を対象物Ｔに装着させた後に、図６に示すように、切り取り線１４を切り取って、クリーニングタッグ１を、帯部１０の長手方向の一端部１０ａ側の部分４ａと、帯部１０の長手方向の他端部１０ｈ側の部分４ｂとにそれぞれ分割することで、帯部１０の長手方向の一端部１０ａ側の部分４ａに、第一の識別情報１５ａを残し、帯部１０の長手方向の他端部１０ｈ側の部分４ｂに、第二の識別情報１５ｂを残すように構成する。
【００３８】
クリーニング店では、帯部１０の長手方向の他端部１０ｈ側の部分４ｂを伝票等に取り付けることで、伝票とクリーニングタッグ１を付けた衣類（対象物Ｔ）とを紐付けることが可能となり、衣類の管理が容易となる。又、衣類に取り付けた帯部１０の長手方向の一端部１０ａ側の部分４ａは、小さな輪っかになることから、クリーニングの際に、帯部１０の長手方向の一端部１０ａ側の部分４ａが他の衣類に引っ掛かり難くなり、クリーニングタッグ１の脱落と衣類の損傷とを防止する。
【００３９】
尚、図１に示すように、切り取り線１４は、Ｔ字状スリット１３寄りに設けられる。又、第一の識別情報１５ａは、Ｔ字状スリット１３寄りに設けられ、第二の識別情報１５ｂは、帯部１０の長手方向の他端部１０ｈ寄りに設けられる。第一及び第二の識別情報１５ａ、１５ｂは、例えば、数字や文字の組み合わせである。帯部１０の長手方向の他端部１０ｈ側の部分４ｂは、伝票に取り付けられることから、この部分４ｂに、更に、第二の識別情報１５ｂに対応し、バーコードリーダで読み取り可能なバーコード１５ｃが設けられると、クリーニング店での衣類の管理が更に容易になる。
【００４０】
又、図１に示すように、一対の切り込み１１とＴ字状スリット１３との間に、折り曲げを示す折り曲げ線１６を設けても良い。これにより、帯部１０の長手方向の一端部１０ａを二つ折りにして折り曲げてＴ字状スリット１３に挿通させる際に、折り曲げ線１６を目安に帯部１０を折り曲げやすくなる。
【００４１】
又、図２に示すように、一対の切り込み１１ａ、１１ｂは、帯部１０の短手方向の直線２０と一致すると好ましい。これにより、一対の切り込み１１ａ、１１ｂで形成される一対の引っ掛かり部１１ｃ、１１ｄをＴ字状スリット１３の第一のスリット用切り込み１３ａから出し易くする。更に、二つ折りの一端部１０ａを平面状に戻した時に、一対の引っ掛かり部１１ｃ、１１ｄを、Ｔ字状スリット１３から一端部１０ａの引き抜き方向に対して直角とし、Ｔ字状スリット１３の第一のスリット用切り込み１３ａに強固に引っ掛けた状態にして、装着後の洗濯であっても、クリーニングタッグ１の脱落を確実に防止することが出来る。
【００４２】
又、図２に示すように、第二のスリット用切り込み１３ｂの長さｔ３は、第二の間隔ｔ２に対して長ければ、特に限定は無いが、例えば、クリーニングタッグ１の装着容易性の点から、第二の間隔ｔ２に対して１．５倍〜２．０倍の範囲内であると好ましい。
【００４３】
本考案は、図７に示すように、帯部１０の裏面（底面）において、前記Ｔ字状スリット１３の周辺に目印としての第一のマーク１６ａ（ガイドマーク）を設けても良い。これにより、二つ折りにした一端部１０ａを帯部１０の裏面から、Ｔ字状スリット１３に挿通させる際に、当該Ｔ字状スリット１３の位置を第一のマーク１６ａの存在により一見して確認することが出来るため、Ｔ字状スリット１３へ二つ折りの一端部１０ａを素早く挿通することが可能となる。仮に、第一のマーク１６ａが存在しない場合、通常、Ｔ字状スリット１３を含むスリットは、線状であり、一般的に見え難いため、裏面からＴ字状スリット１３を探した上で、二つ折りの一端部１０ａを挿通させる必要があり、二つ折りの一端部１０ａの挿通に手間取ることになる。
【００４４】
ここで、第一のマーク１６ａは、例えば、前記Ｔ字状スリット１３を囲んだ矩形状でＴ字状のマークであると好ましい。これにより、Ｔ字状スリット１３を帯部１０の裏面から見た時に、Ｔ字状スリット１３の形状を一見して確認することが出来るため、二つ折りの一端部１０ａをＴ字状スリット１３のどこに挿通させればよいかも明確になり、更に挿通を素早くさせることが出来る。又、二つ折りの一端部１０ａをＴ字状スリット１３に挿通した後に、当該二つ折りの一端部１０ａを平面状に戻すと、図８に示すように、Ｔ字状のマーク１６ａのうち、Ｔ字状スリット１３の第一のスリット用切り込み１３ａの延長線を中央線として、帯部１０の長手方向の他端部１０ｈ寄りの半分１６ａ１が、帯部１０の裏面に現れる。ここで、この半分１６ａ１が、第一のスリット用切り込み１３ａに沿って直線状に現れている場合、一端部１０ａが綺麗に平面状となり、一対の引っ掛け部１１ｃ、１１ｄが第一のスリット用切り込み１３ａに適切に引っ掛かっていると判断することが出来る。一方、この半分１６ａ１が、第一のスリット用切り込み１３ａに沿って直線状に現れていない場合、平面状に戻した一端部１０ａに捩じれが生じて、一対の引っ掛け部１１ｃ、１１ｄが第一のスリット用切り込み１３ａに適切に引っ掛かっていないと判断することが出来る。本考案では、ホッチキス針を使用しないため、装着の強度を確実にさせるためには、一対の引っ掛け部１１ｃ、１１ｄが第一のスリット用切り込み１３ａに適切に引っ掛かっている必要がある。一方、多忙なクリーニング店員では、一対の引っ掛け部１１ｃ、１１ｄが第一のスリット用切り込み１３ａに適切に引っ掛かっているかどうか目視で直ぐに確認するのは難しい。又、帯部１０は、表面と裏面とで同じ色であるため、装着後に適切に装着されているか否か分かり難い。そこで、Ｔ字状のマーク１６ａを設けることで、多忙なクリーニング店員でも、素早く装着させることが出来るとともに、装着が適切に行われているか否かを容易に確認することが出来るのである。一端部１０ａに捩じれが生じていれば、捩じれを解消して元に戻せば良い。
【００４５】
又、本考案は、図７に示すように、帯部１０の裏面において、前記一対の切り込み１１ａ、１１ｂの周辺に目印としての第二のマーク１６ｂ（ガイドマーク）を設けても良い。ここで、第二のマーク１６ｂが、前記一対の切り込み１１ａ、１１ｂの延長線を中央線として一端部１０ａ寄りに存在する場合、Ｔ字状スリット１３に挿通した一端部１０ａを平面状に戻した際に、図８に示すように、第二のマーク１６ｂが帯部１０の表面に現れるため、第二のマーク１６ｂの存在により、一端部１０ａが適切に平面状に戻ったことを一見して確認することが出来る。一方、第二のマーク１６ｂが、前記一対の切り込み１１ａ、１１ｂの延長線を中央線として他端部１０ｈ寄りに存在する場合、Ｔ字状スリット１３に挿通した一端部１０ａを平面状に戻した際に、今度は、第二のマーク１６ｂが帯部１０の表面に現れないため、第二のマーク１６ｂの不存在により、一端部１０ａが適切に平面状に戻ったことを一見して確認することが出来る。
【００４６】
ここで、第二のマーク１６ｂは、一対の切り込み１１ａ、１１ｂを囲んで、帯部１０の短手方向に沿って矩形状のマークであると好ましい。これにより、Ｔ字状スリット１３に挿通した一端部１０ａを平面状に戻した際に、図８に示すように、矩形状のマーク１６ｂのうち、一対の切り込み１１ａ、１１ｂの延長線を中央線として、帯部１０の長手方向の一端部１０ａ寄りの半分１６ｂ１が、帯部１０の表面に現れる。ここで、この半分１６ｂ１が、一対の切り込み１１ａ、１１ｂに沿って直線状に現れている場合、一端部１０ａが綺麗な平面状に戻っており、一対の引っ掛け部１１ｃ、１１ｄが第一のスリット用切り込み１３ａに適切に引っ掛かっていると判断することが出来る。一方、この半分１６ｂ１が、一対の切り込み１１ａ、１１ｂに沿って直線状に現れていない場合、平面状に戻した一端部１０ａに捩じれが生じて、一対の引っ掛け部１１ｃ、１１ｄが第一のスリット用切り込み１３ａに適切に引っ掛かっていないと判断することが出来る。そのため、矩形状のマーク１６ｂを設けることで、上述のように、多忙なクリーニング店員でも、素早く装着させることが出来るとともに、装着が適切に行われているか否かを一見して確認することが出来る。
【００４７】
又、本考案では、図９に示すように、折り目１２は、ミシン目である場合、前記帯部１０の第一の位置１０ｅを切断しない（接続している）ミシン目であると好ましい。これにより、帯部１０の短手方向の一端部１０ａを前記折り目１２に沿って二つ折りにした際に、帯部１０の第一の位置１０ｅが接続されていると、二つ折りの一端部１０ａが第一の位置１０ｅで広がることが無いため、Ｔ字状スリット１３に挿通し易くなる。一方、帯部１０の第一の位置１０ｅが切断されていると、二つ折りの一端部１０ａが第一の位置１０ｅで広がり、Ｔ字状スリット１３に挿通し難くなる。
【００４８】
又、図１０に示すように、帯部１０の長手方向の一端部１０ａにおける二つの角部のうち、いずれか一方の角部１７ａ（下方の角部１７ａ）を切断しても良い。一方の角部１７ａを切断することで、帯部１０の一端部１０ａを衣類Ｃのボタン孔Ｈに挿通する際に、切断されていない角部１７ｂをボタン孔Ｈに突き刺せば、切断された角部１７ａがボタン孔Ｈに容易に入り、帯部１０の一端部１０ａをボタン孔Ｈに挿通し易くすることが出来る。又、図１１に示すように、帯部１０の表面において、一端部１０ａを山折りで二つ折りにした場合、一端部１０ａの一方の角部１７ａが無くなることで、二つ折りの一端部１０ａの先端は、一端部１０ａの他方の角部１７ｂの一枚のみとなり、二つ折りの一端部１０ａの先が尖り、Ｔ字状スリット１３の第二のスリット用切り込み１３ｂに二つ折りの一端部１０ａを挿通し易くなる。これにより、クリーニングタッグ１を更に迅速に装着することが可能となる。尚、帯部１０の表面において、一端部１０ａを谷折りで二つ折りにした場合は、二つ折りの一端部１０ａの先端は、折り目１２の先端に対応して尖って固くなるため、この部分をＴ字状スリット１３の第二のスリット用切り込み１３ｂに挿通させれば良い。
【００４９】
＜実施例＞
以下に、本考案に係るクリーニングタッグ１の評価方法、実施例、比較例、評価結果等を具体的に説明するが、本考案の適用が本実施例などに限定されるものではない。
【００５０】
評価方法は、次の通りである。先ず、対象物Ｔの洗濯物としてシャツ７枚、ポロシャツ２枚、ズボン１枚、合計１０枚を用意し、クリーニング店員に全ての洗濯物へのクリーニングタッグの装着を行わせた。その際に、クリーニングタッグの装着開始から装着完了までの時間をストップウォッチで計測し、１０枚の洗濯物に対するクリーニングタッグの装着時間を算出した。図１２に示すように、実施例は、本考案のクリーニングタッグとし、比較例は、当社の従来品のクリーニングタッグとした。実施例は、急な傾きの直線状の一対の切り込み１１と折り目１２とＴ字状スリット１３とを採用しているのに対し、比較例は、略Ｌ字状の一対の切り込み１２１とコの字状スリット１２２とを採用している。３日に渡って４人のクリーニング店員で繰り返しクリーニングタッグの装着時間を算出した。
【００５１】
その結果、図１３に示すように、実施例におけるクリーニングタッグの装着時間は、比較例におけるクリーニングタッグの装着時間よりも数十秒、短縮していることが理解される。手際の悪いクリーニング店員では、２分以上の差が生じている。これは、正しく、実施例のクリーニングタッグは、素早い装着に優れていることを示している。
【００５２】
又、実施例におけるクリーニングタッグが装着された洗濯物をドラム状のクリーニング装置（３５ｋｇクリーニング可能）でクリーニングを実施し、クリーニング終了後に、洗濯物を取り出し、クリーニングタッグの外れが生じているか否かを確認したが、クリーニングタッグの脱落は皆無であった。一方、比較例におけるクリーニングタッグが装着された洗濯物を、実施例と同様に、クリーニングし、クリーニング終了後に、クリーニングタッグの外れが生じているか否かを確認したところ、数点、脱落を発見した。従って、本考案の方が、比較例と比較して、洗濯中の脱落を確実に防止出来る。
【００５３】
尚、実施例におけるクリーニングタッグをトムソン加工で量産しても、切断不良は見られなかった。比較例におけるクリーニングタッグでは、略Ｌ字状の一対の切り込み１２１とコの字状スリット１２２に切断不良が生じた。
【産業上の利用可能性】
【００５４】
以上のように、本考案に係るクリーニングタッグは、クリーニング業界で様々な洗濯物に利用されるクリーニングタッグとして有用であり、素早く装着可能で、且つ、洗濯中の脱落を確実に防止することが可能となるクリーニングタッグとして有効である。
【符号の説明】
【００５５】
１  タッグ
１１ａ、１１ｂ  一対の切り込み
１２  折り目
１３  Ｔ字状スリット
【図１】
0003216855.tif 000003
【図２】
0003216855.tif 000004
【図３】
0003216855.tif 000005
【図４】
0003216855.tif 000006
【図５】
0003216855.tif 000007
【図６】
0003216855.tif 000008
【図７】
0003216855.tif 000009
【図８】
0003216855.tif 000010
【図９】
0003216855.tif 000011
【図１０】
0003216855.tif 000012
【図１１】
0003216855.tif 000013
【図１２】
0003216855.tif 000014
【図１３】
0003216855.tif 000015